(57)【特許請求の範囲】
【請求項１】
カセットホルダに設けた板状ばねによりカセットを記録再生位置に圧接するカセット保持機構において、前記板状ばねに記録再生状態で前記カセットの中心部を押圧する第１の押圧部の他にカセットを記録再生位置に押し込む途中で前記カセットの中心部からカセット検出スイッチ側にずれた位置を押圧する第２の押圧部を設け、カセットが記録再生位置に装着された状態では前記第２の押圧部がカセットから離れるように構成したことを特徴とするカセット保持機構。
【請求項２】
前記第２の押圧部が突起により形成されている請求項１のカセット保持機構。
【請求項３】
前記第２の押圧部が前記板状ばねを曲げることにより形成されている請求項１のカセット保持機構。
【発明の詳細な説明】
【０００１】
【発明の属する技術分野】
この発明はカセットプレーヤに係わり、特に、カセットを記録再生位置に保持するカセット保持機構に関する。
【０００２】
【従来の技術】
従来のカセットプレーヤのカセット保持機構の例を図５および図６により説明する。図に示す１はカセットプレーヤの定位置に配置されたカセット駆動メカニズムであり、カセット５のリールを駆動する軸やカセット５の位置決めをする軸がその表面に配設されている。
【０００３】
４はカセット５を保持してカセット駆動メカニズム１の記録再生位置に押し込むカセットホルダーであり、カセット５を押圧する樹脂ばね８が設けられている。この樹脂ばね８の先端部の押圧部８ａはカセット５の中心部を押圧する位置にある。２はカセット５が記録再生位置に装着されたことを検出するカセット検出スイッチである。
【０００４】
図６はカセット５をカセット駆動メカニズム１の記録再生位置に装着する動作の途中の状態を示している。図に示すように、樹脂ばね８の先端部の押圧部８ａはカセット５の中心部を押圧するが、カセット５の片側はカセット検出スイッチ２からの力が加わり、押込み方向の動きが抑えられカセット５が傾く。
【０００５】
樹脂ばね８が、さらに、カセット５を押し込むと、カセット５はカセット検出スイッチ２を押えて、図５に示す記録再生位置まで押し込まれるが、このときカセット５の片側がカセット駆動メカニズム１に衝突して衝突音が発生するため装置の品位が低くなるという問題があった。
【０００６】
【発明が解決しようとする課題】
この発明は上記した点に鑑みてなされたものであって、その目的とするところは、カセットの装着動作がスムーズに行われカセットプレーヤの品位を高くすることができるカセット保持機構を提供することにある。
【０００７】
【課題を解決するための手段】
この発明のカセット保持機構は、カセットホルダに設けた板状ばねによりカセットを記録再生位置に圧接するカセット保持機構において、前記板状ばねに記録再生状態で前記カセットの中心部を押圧する第１の押圧部の他にカセットを記録再生位置に押し込む途中で前記カセットの中心部からカセット検出スイッチ側にずれた位置を押圧する第２の押圧部を設け、カセットが記録再生位置に装着された状態では前記第２の押圧部がカセットから離れるように構成したものである。
【０００８】
また、前記カセット保持機構において、前記第２の押圧部が突起により形成されているものである。
【０００９】
さらに、同カセット保持機構において、前記第２の押圧部が前記板状ばねを曲げることにより形成されているものである。
【００１０】
【発明の実施の形態】
この発明の実施例であるカセット保持機構を図面に基づいて説明する。図１はおよび図２はこの発明の第１の実施例であるカセット保持機構を示す側面図である。
【００１１】
図に示す１はカセットプレーヤの定位置に配置されたカセット駆動メカニズムであり、カセット５のリールを駆動する軸やカセット５の位置決めをする軸がその表面に配設されている。
【００１２】
４はカセット５を保持してカセット駆動メカニズム１の記録再生位置に押し込むカセットホルダーであり、カセット５を押圧する樹脂ばね３が設けられている。この樹脂ばね３の先端部に形成された第１の押圧部３ａはカセット５の中心部を押圧する位置にある。第１の押圧部３ａよりも基端部側に設けられた第２の押圧部３ｂはカセット５の中心部より上側の部分と対向している。２はカセット５が記録再生位置に装着されたことを検出するカセット検出スイッチである。
【００１３】
図２はカセット５をカセット駆動メカニズム１の記録再生位置に装着する動作の途中の状態を示している。図に示すように、樹脂ばね３の先端部の第１の押圧部３ａがカセット５の中心部を押圧するが、カセット５が多少傾斜した状態で第２の押圧部３ｂもカセット５の中心部より上側の部分を押している。
【００１４】
押圧部３ｂがカセット５を押すことによりカセットはカセット検出スイッチ２からの力が加わっても傾斜する角度が小さく抑えられる。従って、図１に示す記録再生位置まで押し込まれたときに、カセット５がカセット駆動メカニズム１に衝突して衝突音が発生することが防止される。なお、カセット５がカセット駆動メカニズム１に正常に装着された状態では、図１に示すように第２の押圧部３ｂはカセット５から離れている。
【００１５】
図３はこの発明の第２の実施例であるカセット保持機構に用いられる板ばね６を示す斜視図である。この板ばね６は先端部側に第１の押圧部６ａが折曲げて形成されており、基端部側に第２の押圧部６ｂが折曲げて形成されている。この板ばね６は第１の実施例における樹脂ばね３の代わりに用いることができる。その場合は第１の押圧部６ａおよび第２の押圧部６ｂは第１の実施例における第１の押圧部３ａおよび第２の押圧部３ｂと同様の機能を果たす。
【００１６】
図４はこの発明の第３の実施例であるカセット保持機構に用いられる板ばね７を示す斜視図である。この板ばね７は先端部側に第１の押圧部７ａが折曲げて形成されており、基端部側に第２の押圧部７ｂが絞りにより形成されている。この板ばね７は第１の実施例における樹脂ばね３の代わりに用いることができる。その場合は第１の押圧部７ａおよび第２の押圧部７ｂは第１の実施例における第１の押圧部３ａおよび第２の押圧部３ｂと同様の機能を果たす。
【００１７】
【発明の効果】
この発明のカセット保持機構によれば、カセットプレーヤにカセットを装着するときにカセットを検出スイッチをスムーズに越えさせることができるので、衝突音を小さくでき、品位の高いカセットプレーヤが得られる。
【図面の簡単な説明】
【図１】この発明の第１の実施例であるカセット保持機構を示す側面図である。
【図２】同カセット保持機構の他の状態を示す側面図である。
【図３】この発明の第２の実施例であるカセット保持機構に用いられる板ばねを示す斜視図である。
【図４】この発明の第３の実施例であるカセット保持機構に用いられる板ばねを示す斜視図である。
【図５】従来のカセット保持機構の例を示す側面図である。
【図６】同カセット保持機構の他の状態を示す側面図である。
【符号の説明】
１  カセット駆動メカニズム
２  カセット検出スイッチ
３  樹脂ばね、３ａ  第１の押圧部、３ｂ  第２の押圧部
４  カセットホルダ
５  カセット
６  板ばね、６ａ  第１の押圧部、６ｂ  第２の押圧部
７  板ばね、７ａ  第１の押圧部、７ｂ  第２の押圧部
８  樹脂ばね、８ａ  押圧部
【図１】
0003585111.tif 000002
【図２】
0003585111.tif 000003
【図３】
0003585111.tif 000004
【図４】
0003585111.tif 000005
【図５】
0003585111.tif 000006
【図６】
0003585111.tif 000007